(57)【特許請求の範囲】
【請求項１】
１つまたは複数の刃を有するカミソリヘッドおよびハンドルを有し、前記カミソリヘッドは、シェービング中に出合う力に基づいて信号を生じる１つまたは複数のセンサを有し、
前記各センサは、前記1つ以上の刃に直接当てられるポリマーフィルムの圧電材料から構成されており、
前記ハンドルは、１つまたは複数のセンサから信号を受けるために１つまたは複数のレセプタを有し、前記１つまたは複数のセンサと前記１つまたは複数のレセプタとの間に電気回路を提供するために、導電性装置が１つまたは複数のセンサからレセプタに伸びている湿式カミソリ装置。
【請求項２】
前記センサは、ポリビニリデン・フルオライドから成る請求項１に記載のカミソリ装置。
【請求項３】
１つまたは複数のレセプタは、前記信号を受ける信号処理回路を有する請求項１に記載のカミソリ装置。
【請求項４】
前記信号処理回路は、アクチュエータに接続され、前記信号処理回路は、前記信号への応答信号を生じ、この信号は、アクチュエータを駆動してカミソリヘッドまたは１つまたは複数の刃を移動させ、シェービングされる表面に一定の圧力を提供する請求項３に記載のカミソリ装置。
【請求項５】
前記信号処理回路は、前記フィードバック信号に応答した指示を行う指示器に接続されている請求項３に記載のカミソリ装置。
【請求項６】
前記指示器は、光源と、発光ダイオードと、音声生成装置と、動き生成装置と、その組み合わせとを有する請求項５に記載のカミソリ装置。
【請求項７】
前記指示器は、１つまたは複数の刃が摩耗し、交換が必要であるという信号をユーザに提供する請求項６に記載のカミソリ装置。
【請求項８】
前記指示器は、シェービング中にカミソリに異なる圧力を加えなければならないという信号をユーザに提供する請求項６に記載のカミソリ装置。
【請求項９】
前記カミソリヘッドは、前記ハンドルに永久的に取り付けられる請求項１に記載のカミソリ装置。
【請求項１０】
前記カミソリヘッドは、前記ハンドルに取り外し可能に取り付けられる請求項１に記載のカミソリ装置。
【請求項１１】
前記１つまたは複数のセンサは、複数の刃の間に配置されたスペーサの形態である請求項１に記載のカミソリ装置。
【発明の詳細な説明】
【０００１】
【発明の属する技術分野】
本発明は、カミソリヘッドに１つまたは複数のセンサを配置してシェービングを改善する動きまたは指示を生成する、カミソリヘッド、カートリッジまたはハンドルに関する。
【０００２】
【従来の技術】
シェービングの品質を改良する努力が長年にわたってなされてきた。シェービング中にカミソリが受ける種々の力にさらに応答するようにシェービングの品質を改良する多大な努力がカミソリカートリッジおよび刃を製造することに向かって行われた。その結果の例は、シェービング力に応答してたわみ、曲がる刃、カートリッジのような可動部品と、これらの力に応答して内側および外側に移動する刃と、を有するカミソリ装置を含む。可動部品を備えた従来のすべてのシェービング装置の間の１つの共通点は、ばねまたはピボットのような機械的なエレメントの機能によって運動が生じることである。その結果、これらの従来のカミソリ装置の全部の機能における１つの制限は、それらが機械的エレメントと同じような感度しかないことである。
【０００３】
カミソリ部品の動きに必要性を検出する機械的エレメントに依存しないカミソリ装置を提供することが有利であるが、その代わりカミソリカートリッジまたはカートリッジそれ自身の位置を変える必要があるという信号を送るために電気的センサのようなさらに感度のよい媒体に依存するカミソリを提供することが有利である。
【０００４】
【発明が解決しようとする課題】
したがって、本発明の目的は、刃の位置を調整し、刃の再位置決めまたは交換をしなければならないことをユーザに指示する信号を提供する電気センサを備えたカミソリ装置を提供することである。
【０００５】
【課題を解決するための手段】
本発明はカミソリカートリッジ内にセンサを含む湿式シェービング装置に関する。本センサは、ひずみを生じたとき、電気信号すなわち抵抗の変化を生じる圧電または圧電抵抗素子材料を有する。作動的なフィードバック装置において、信号は、カートリッジからカミソリハンドルに転送され、ここで電気的に作動するアクチュエータが刃の位置を決めるために必要なときに伸長、後退し、一定のシェービング力によってシェービングを行う。受動フィードバック装置の他の実施例において、信号は、刃が摩耗し、交換すべきであることをユーザに指示する。
【０００６】
【発明の実施の形態】
本発明の好ましい実施例を参照する。この明細書の目的において、湿式カミソリは、せっけんまたはシェービングクリーム、および温水と関連して使用されるカミソリとして定義される。湿式カミソリの定義は、カミソリを数回使用した後に、カミソリユニット全体を捨てる使い捨てカミソリと、ある回数使用した後、カミソリカートリッジをユーザが捨てるか、交換する永久的に使用する装置の双方を含む。この双方の場合において、カミソリヘッドまたはカートリッジは、刃を包囲し収容する部分である。カミソリヘッドとハンドルの組み合わせ、永久的か、または使い捨て可能であるかは、カミソリ装置によって定義される。
【０００７】
本発明は、シェービング中に出合うカミソリヘッドによって生じる力を受け、それに対して応答する１つまたは複数のセンサを有する湿式カミソリヘッドを提供する。センサは、ひずみが生じたとき、電気信号または抵抗の変化を生じる圧電、圧電抵抗材料のいずれかから製造することが好ましい。好ましい圧電ポリマーは、ペンシルバニア州、バレーフォージアンプ社によって販売されたタイプのポリビニリデン・フルオライド（ＰＶＤＦ）である。ＰＶＤＦは、センサとして特に好ましい。なぜならば、それは、非常に可撓性があり、良好で強い電気信号を提供するからである。さらに、ＰＶＤＦは、カミソリ装置のすべての場所に配置されるセンサに材料の処理を容易にする種々の厚さの形態で市販されている。圧電ポリマーセンサの１つの好ましい形態は、カミソリヘッド内の刃に直接か近接して張り付けられたフィルムである。好ましい圧電材料は、ミラーまたは他の可撓性の非導電性支持体、導電性フォームおよび細かいワイヤの格子または薄い樹脂のバッキングで包まれたコンスタンタン金属箔格子から成るストレインゲージとの間に配置された黒煙または圧力感応インクを含む。これらの圧電抵抗材料は、シェービング中に生じる力に応じて電気信号を生じることができる。他の実施例においてセンサは電位差計である。
【０００８】
センサは、カミソリの所望の場所に配置することができる。図１ないし図４は、現在好ましいセンサの場所を示す。さらに、図面は２つの刃を備えたカートリッジを示すが、センサは１つ、２つ、３つまたは他の数の刃に使用される。図１および図２は、２つの刃１１，１２を備えたカートリッジ１０を示す。圧電ポリマーまたは圧電抵抗フィルム１４，１５の形のセンサは、シェービング中に生じる力の結果を検出し、これらの力に基づいた電気信号を提供するようにフィルムが所定の位置になるように刃１１，１２の一部がコートされている。個々に生じる種々の力の間において、カートリッジを上方または下方にたわませる力と、刃への応力および張力とがある。センサからの電気信号をレセプタに伝達する手段は、カミソリヘッド内に設けられている。好ましくは、このような伝達装置は、ワイヤ１８のような導電性材料を有し、この導電性材料は、センサから信号を受け、カミソリヘッドを通して信号を１つまたは複数のレセプタに伝達し、これらのレセプタはカミソリハンドル内に配置されることが好ましい。
【０００９】
位置場所のセンサは、圧電または圧電抵抗材料２３の固体部分の形で、好ましくはＰＶＤＦまたはその複合体の形であり、これは、２つの刃２１，２２の間に配置されている。センサは、２つの刃を互いに離れるように保持すると同時にシェービング中に生じる力の結果を検出するスペーサとして作用する。この実施例のセンサの場所は、カミソリヘッドに作用する力を検出するために特に有効である。センサは、好ましくは、カミソリハンドル内に配置された１つまたは複数のレセプタに伝達手段を通して伝達された力から電気信号を発生する。
【００１０】
さらに他の実施例において、センサは、カミソリハンドル内に配置されている。この実施例において、センサは、ハンドルに転送される刃の力を間接的に測定する。図４Ａに示したこの他の好ましい実施例は、ハンドル３０に配置された圧電または圧電抵抗センサ５１を使用する。可動ピストン５０は、カミソリカートリッジ５２または刃に接触して配置され、シェービング中に生じる力をセンサに伝達する。
【００１１】
図５は、本発明のカミソリハンドル３０を示す。交換可能なカートリッジを備えた永久的な装置として示すこの場合において、ハンドル３０は、カミソリカートリッジの取付装置３２と、ピストン３１と、導体３４と、電気モータ３８の形で図５に示すレセプタと、を有する。ハンドル上にカミソリヘッドを配置するとき、永久的にまたは交換可能に、導体３４がカミソリヘッドの伝達手段に接続され、回路を形成し、伝達手段を通してセンサ信号を受ける。使い捨てカミソリにおいて、カミソリヘッドおよび導体の伝達手段は、１つのユニットである。永久的な装置において、接続は、伝達手段および導体の露出した端部にコネクタを配置することによって達成され、それらは、ハンドル上にカミソリヘッドを配置するときに互いに取り付けられる。カミソリヘッドの伝達手段に関して、導体は、導線のような適当な導体材料から製造される。
【００１２】
センサ信号を受信し処理するために２つの異なる好ましいレセプタの実施例があり、好ましい各実施例において１つまたは複数のレセプタが使用される。第１のレセプタの実施例は、レセプタがセンサ信号を処理し、刃を移動し位置決めするような応答をする１つの信号処理回路の形である能動装置である。好ましい実施例において、レセプタは、ピストン３１を移動し位置決めするために使用されるアクチュエータと関連する信号処理回路である。アクチュエータは、ピストンを十分に移動させる手段であるが、図示したようにアクチュエータは、連結装置３７と直列の電気モータ３８によって駆動される親ねじ３６である。ピストン３１またはピストンの一部にはねじが切られ、親ねじに沿って取り付けられ、モータは、センサに応答して信号処理回路によって発生したフィードバック信号に応答する。導体３４は、センサから信号処理回路に電気信号を伝達し、電気回路を構成する。センサ信号に対するモータの応答に基づいて、親ねじ３６が回転し、それに対応してピストン３１が必要に応じて伸び、後退し、カミソリヘッドをたわませ、カミソリヘッドの位置を決めて終始、変わらないシェービングを行う。図６ａ，６ｂ，および６ｃに示すように、ピストン３１の伸長は、カミソリヘッド３５を凸形状にたわませるが、ピストンの後退はカミソリヘッドを凹形状にたわませる。
【００１３】
図７に示すような第２の好ましいレセプタの実施例は、受動装置である。この実施例において、１つまたは複数のセンサ、導体およびカミソリヘッドとハンドルの間の伝達装置は、前述したものと同じである。この実施例において、ハンドル４０のレセプタは、動きを生じないが、その代わり、光４１のようなインジケータを起動する信号処理回路である。また受動装置のレセプタは、発光ダイオード（ＬＥＤ）または他の任意の指示器を作動させる。信号処理回路は、センサから電気信号を受け、光のようなインジケータを起動し、ユーザが行動を起こすことができる目視信号をユーザに提供する。例えばセンサは、シェービング圧力を変えるようにユーザに目視信号を与える比較可能な電気信号を発生することによってシェービング中に圧力を大きくするか小さくすることを区別するために使用される。さらに、経時的に刃が鈍くなった場合、毛を切る圧力を大きくする必要があるので、シェービング圧力を追加する指示が、使い捨てカミソリを廃棄すべきであること、または永久的な装置においては、カミソリヘッドを交換すべきであることをユーザに伝えるために使用される。他の実施例において、振動のような動きを生じるようにモータまたは圧電トランスジューサのような装置を駆動し、音楽または人間の声のような音声を生じる、回路基板またはソリッドステートチップの電気回路を作動するように電圧が使用される。他の実施例において、受動装置は、能動装置と組み合わせることができる。例えば、レセプタは、アクチュエータを駆動して一定のシェービング圧力を生じるが、同時にインジケータが光って刃が摩耗し交換が必要であることを示す。
【００１４】
電位差計を有するセンサの他の実施例は、図８および図９に示されている。電位差計は、電位差計の軸への転移時に刃に加えられる力の変化を検出する。摺動電位差計または回転電位差計のような移動を介した電位差計の軸の動きは、刃に加えられる力を示す抵抗の変化を生じる。抵抗の変化は電圧の変化を生じ、装置を起動するために使用される。図８の実施例において、ハンドル３０に摺動電位差計６０が配置される。摺動電位差計の電位差計軸６１は、ピストン６２を介してシェービングカートリッジ６３を通って刃から力を受ける。摺動電位差計に沿って電位差計の軸の移動から生じる抵抗の変化は、均等な電圧変化に変換され、アクチュエータまたはインジケータまたはいくつかの他の装置を起動し、これらは、動きに応答してユーザに対して目による指示を生じる。図９の実施例において、電位差計７０は、ハンドル３０に配置される。シェービング中に生じる力は、ピストン７３を介してレバー７２に伝えられ、電位差計軸７１に移動される。前の実施例に関するように、力の移動は、電位差計に抵抗の変化を生じさせ、この変化は均等な電圧に変換され、加えられるシェービング力に応答してアクチュエータまたは目によるインジケータを起動するように使用される。他の実施例において、レセプタの組み合わせは、複数の能動的応答を生じるか、複数の受動応答を生じるか、能動および受動応答を生じるように使用される。
【００１５】
本発明の好ましい実施例を説明したが、当業者は、本発明の精神から離れることなく本発明に対する種々の変形および改造を行うことは理解できよう。また、本発明の範囲内にあるこのような変化および改造を請求することが意図される。
【図面の簡単な説明】
【図１】センサを有するカミソリカートリッジの平面図である。
【図２】センサを有するカミソリカートリッジの線２−２に沿った断面図である。
【図３】センサを有するカミソリカートリッジの他の実施例の正面図である。
【図４】センサを有するカミソリカートリッジの線４−４に沿った断面図である。図４Ａは、カミソリハンドルの平面図およびハンドルにセンサを有するカミソリカートリッジの断面図である。
【図５】カミソリハンドルおよびカミソリカートリッジのセンサから信号を受けるアクチュエータを有する平面図および断面図である。
【図６】図６Ａは、後退位置のアクチュエータを有するカミソリハンドルおよびカートリッジの平面図である。図６Ｂは、偏寄位置ではないアクチュエータを有するカミソリハンドルおよびカートリッジの平面図である。図６Ｃは、伸長位置のアクチュエータを有するカミソリハンドルおよびカートリッジの平面図である。
【図７】指示光が示されたカミソリヘンドルおよびカートリッジの平面図である。
【図８】カミソリハンドルの平面図および摺動電位差計を有するカミソリカートリッジの断面図である。
【図９】カミソリハンドルの平面図および摺動電位差計を有するカミソリカートリッジの断面図である。
【符号の説明】
１０  カートリッジ
１１，１２，２１，２２  刃
１４，１５  フィルム
１８  ワイヤ
２４  伝達手段
３０  ハンドル
３１  ピストン
３４  導体
３５  カミソリヘッド
３７  連結装置
３８  レセプタ
４０  ハンドル
４１  光
５０  ピストン
５２  カミソリカートリッジ
６０  電位差計
６１  電位差計軸
６２  ピストン
６３  カートリッジ
７２  レバー
【図１】
0004446131.tif 000002
【図２】
0004446131.tif 000003
【図３】
0004446131.tif 000004
【図４】
0004446131.tif 000005
【図５】
0004446131.tif 000006
【図６】
0004446131.tif 000007
【図７】
0004446131.tif 000008
【図８】
0004446131.tif 000009
【図９】
0004446131.tif 000010